(57)【要約】  浴室乾燥機は、一面が開口した本体と、本体内に設置され、本体とともに吸込口（２３ｄ）と吹出口（１０）とを有する風路を形成し、吸込口（２３ｄ）が本体と対向して配置されるファンケーシング（２３）と、ファンモータ（１１）及びファンモータ（１１）のモータ軸に取り付けられたファンを備え、風路内に設置されて、ファンモータ（１１）がファンを回転させることにより、本体とファンケーシング（２３）との間の空気吸い込み部（８ａ）から吸込口（２３ｄ）に空気を吸い込み、吸込口（２３ｄ）から吹出口（１０）に向かう気流を風路に発生させる送風機と、ファンケーシング（２３）から空気吸い込み部（８ａ）に突出するリブ（２３ｃ）とを有する。
2020079850.tif 000002
【特許請求の範囲】
【請求項１】
一面が開口した本体と、
前記本体内に設置され、前記本体とともに吸込口と吹出口とを有する風路を形成し、前記吸込口が前記本体と対向して配置されるファンケーシングと、
ファンモータ及び前記ファンモータのモータ軸に取り付けられたファンを備え、前記風路内に設置されて、前記ファンモータが前記ファンを回転させることにより、前記本体と前記ファンケーシングとの間の空気吸い込み部から前記吸込口に空気を吸い込み、前記吸込口から前記吹出口に向かう気流を前記風路に発生させる送風機と、
前記ファンケーシングから前記空気吸い込み部に突出するリブとを有することを特徴とする浴室乾燥機。
【請求項２】
前記リブを複数有することを特徴とする請求項１に記載の浴室乾燥機。
【請求項３】
前記本体と前記リブとの隙間が１２ｍｍ未満であることを特徴とする請求項１又は２に記載の浴室乾燥機。
【請求項４】
前記リブは、前記ファンケーシングと一体であることを特徴とする請求項１から３のいずれか１項に記載の浴室乾燥機。
【発明の詳細な説明】
【技術分野】
【０００１】
本発明は、浴室に温風を送風する暖房運転と、浴室の空気を屋外に排出する換気運転と、浴室への温風の送風及び室内空気の排出を同時に行う乾燥運転を実行でき、ダンパーによって風路を切り替える浴室乾燥機に関する。
【背景技術】
【０００２】
浴室に温風を送風する暖房運転と、浴室の空気を屋外に排出する換気運転と、浴室への温風の送風及び室内空気の排出を同時に行う乾燥運転を実行でき、運転の種類に応じてダンパーによって風路を切り替える浴室乾燥機は、空気の吸込口及び吹出口を有するフロントパネルが浴室内表面に露出する形態である。浴室乾燥機は、送風するファン、ファンを駆動させるファンモータ、ファンの風路を形成するファンケーシング、ファンで送風される空気を加熱するヒータ、加熱した空気を吹き出す吹出口、運転モードを切り替えるダンパ及びダンパを駆動するモータを収納する本体を備える。【０００３】
特許文献１に開示される浴室用の暖房装置は、着脱可能な前カバーが本体の正面に取り付けられている。
【先行技術文献】
【特許文献】
【０００４】
【特許文献１】特開２００７−４０６３４号公報
【発明の概要】
【発明が解決しようとする課題】
【０００５】
国際電気標準会議（International  Electrotechnical  Commission，IEC）の規格であるＩＥＣ６０３３５−８．１は、工具を使用せずに着脱可能な部品を取り外した状態で充電部との不注意な接触に対して適切な保護がなされていることを求めている。特許文献１に開示される暖房装置は、上記規格を遵守するために、充電部であるモータ軸に前カバー側から触れることができないように、前カバーとモータとの間に格子部を設けている。特許文献１に開示される暖房装置は、格子部が設けられていることにより、運転音が大きくなったり、清掃しにくくなったりする。【０００６】
本発明は、上記に鑑みてなされたものであって、モータ軸への不注意な接触に対する保護と運転音の増大の防止とを実現し、清掃しやすい浴室乾燥機を得ることを目的とする。
【課題を解決するための手段】
【０００７】
上述した課題を解決し、目的を達成するために、本発明は、一面が開口した本体と、本体内に設置され、本体とともに吸込口と吹出口とを有する風路を形成し、吸込口が本体と対向して配置されるファンケーシングとを備える。本発明は、ファンモータ及びファンモータのモータ軸に取り付けられたファンを備え、風路内に設置されて、ファンモータがファンを回転させることにより、本体とファンケーシングとの間の空気吸い込み部から吸込口に空気を吸い込み、吸込口から吹出口に向かう気流を風路に発生させる送風機と、ファンケーシングから空気吸い込み部に突出するリブとを有する。
【発明の効果】
【０００８】
本発明に係る浴室乾燥機は、モータ軸への不注意な接触に対する保護と運転音の増大の防止とを実現し、清掃しやすいという効果を奏する。
【図面の簡単な説明】
【０００９】
【図１】本発明の実施の形態１に係る浴室乾燥機の据付状態を示す斜視図
【図２】実施の形態１に係る浴室乾燥機の本体部の内部構造を示す縦断面図
【図３】実施の形態１に係る浴室乾燥機のフロントパネルを開いた状態の正面図
【図４】実施の形態１に係る浴室乾燥機のフロントパネルを開き、フィルタを外した状態の正面図
【図５】実施の形態１に係る浴室乾燥機のパネル、フィルタ及びファンケーシングを外した状態の斜視図
【図６】実施の形態１に係る浴室乾燥機のパネル、フィルタ、ファンケーシング、及びファンを外した状態の斜視図
【図７】実施の形態１に係る浴室乾燥機のファンケーシングの斜視図
【発明を実施するための形態】
【００１０】
以下に、本発明の実施の形態に係る浴室乾燥機を図面に基づいて詳細に説明する。なお、この実施の形態によりこの発明が限定されるものではない。
【００１１】
実施の形態１．
図１は、本発明の実施の形態１に係る浴室乾燥機の据付状態を示す斜視図である。浴室乾燥機１は、浴室内表面に意匠面を構成するパネル２と、箱状の金属ケースで覆われた本体部２０とを有する。パネル２は、パネルベース３とフロントパネル４とを備える。パネル２は、パネルベース３とフロントパネル４との間の上及び左右の三方向から空気を吸い込む。パネルつまみ５を回転させてフロントパネル４とパネルベース３との係合部を外すことで、フロントパネル４を開くことができる。なお、フロントパネル４とパネルベース３との係合部は図示を省略している。
【００１２】
吹出口１０は、温風を吹き出す吹き出し口をフロントパネル４に形成する。
【００１３】
図２は、実施の形態１に係る浴室乾燥機の本体部の内部構造を示す縦断面図である。本体部２０は、外郭を形成する外郭部２１、送風するファン２２、ファン２２を駆動するファンモータ１１、ファン２２が発生させる気流の風路を形成する樹脂製の本体７と空気を送風するファンケーシング２３とを備えている。ファンモータ１１及びファン２２は送風機３０を構成している。なお、図２においては、ファンモータ１１は、ファン２２の陰に隠れており、モータ軸１１ｃのみが図に表れている。本体７は、一面が開口している。本体７の開口面は、パネル２によって覆われる。また、本体部２０には、送風される空気を温めるヒータ２４、暖められた空気を吹き出す吹出口１０、換気、暖房及び乾燥の運転モードを切り替えるダンパ２５、ダンパ２５を駆動させるモータ、空気を外へ排出するための排気開口２１ａが収容されている。
【００１４】
浴室乾燥機１は、ダンパ２５を駆動させて風路を切り替えることで、空気を排気開口２１ａから外へ排出する排気運転、吹出口１０から浴室内に加熱した空気を流す暖房運転、又は浴室内の空気の一部を排気開口２１ａから外へ排出し、一部を暖めて浴室内へ戻す乾燥運転を行う。換気運転時には、ダンパ２５は、換気位置２５ａに配置される。暖房運転時には、ダンパ２５は、暖房位置２５ｂに配置される。乾燥運転時には、ダンパ２５は、乾燥位置２５ｃに配置される。
【００１５】
また、パネルベース３とフロントパネル４との間から吸い込まれた空気は、フィルタ６を通過した後に、風路内を流れる。
【００１６】
図３は、実施の形態１に係る浴室乾燥機のフロントパネルを開いた状態の正面図である。パネルベース３に取付けられたパネルつまみ５を横に向けフロントパネル４の下部に備えた引掛部４ａを外すことで、フロントパネル４の上部のパネルベース３との係合部を中心にフロントパネル４を上方向に回転させ、フロントパネル４を開くことができる。フィルタ６は、パネルベース３に取付けられる。フィルタ６は、フロントパネル４を閉じた状態であっても、フィルタ右取っ手６ａを持ってパネルベース右辺３ａ側から外すことも、フィルタ左取っ手６ｂを持ってパネルベース左辺３ｂ側から外すこともできる。また、フロントパネル４を開いた状態であれば、フィルタ正面取っ手６ｃを持ってフィルタ６を前方に外すことができる。このように、フィルタ６は、複数の方向から取り外し可能となっている。このため、浴室乾燥機１の本体部２０の左右どちらかに壁があってもフィルタ６を取り外し可能とすることで、浴室乾燥機１の設置制約をなくしメンテナンス性を向上させている。
【００１７】
図４は、実施の形態１に係る浴室乾燥機のフロントパネルを開き、フィルタを外した状態の正面図である。フロントパネル４及びフィルタ６は、工具を使用せずに外すことができる。フィルタ６を外した開口部には、送風する不図示のファン２２、ファン２２を駆動させるファンモータ１１、ファンモータ１１を保持するモータ固定板１２、及びファン２２の風路を形成するファンケーシング２３が設置されている。ファンモータ１１がファン２２を回転させることにより、送風機３０は、ファンケーシング２３と、不図示の製品駆動回路を収納する本体７の突出部７ａとの間の空気吸い込み部８ａ、及びファンケーシング２３とファンモータ１１との間の空気吸い込み部８ｂから吸込口２３ｄに空気を吸い込んで送風する。なお、突出部７ａは、空気吸い込み部８ａの左方に設けられている。
【００１８】
図５は、実施の形態１に係る浴室乾燥機のパネル、フィルタ及びファンケーシングを外した状態の斜視図である。図６は、実施の形態１に係る浴室乾燥機のパネル、フィルタ、ファンケーシング、及びファンを外した状態の斜視図である。本体７には、モータ固定板１２が取付けられている。モータ固定板１２には、ファンモータ１１が取付けられる。ファンモータ１１のモータ軸１１ｃには、ファン２２が取付けられる。ファン２２は、回転軸が横方向を向く姿勢でファンモータ１１のモータ軸１１ｃに取付けられている。ファン２２は、空気吸い込み部８ａ，８ｂの両方から空気を吸い込む両吸込羽根である。
【００１９】
金属製のモータ外郭１１ａの中央にモータフランジ部１１ｂが設けられている。モータフランジ部１１ｂは、モータ固定板１２に固定されている。ファン２２は、金属製のナット１３によって金属のモータ軸１１ｃに固定される。
【００２０】
図７は、実施の形態１に係る浴室乾燥機のファンケーシングの斜視図である。ファンケーシング２３は、本体７内に設置され、吸込口２３ｄと吹出口１０とを繋ぐ風路を本体７とともに形成する。送風機３０が発生させる気流は、本体７及びファンケーシング２３が形成する風路を通って吸込口２３ｄから吹出口１０へ流れる。ファンケーシング２３には、本体７とともに風路を形成するスクロール部２３ａ、本体７と固定するねじ穴部２３ｂと、空気吸い込み部８ａ側に突出しているリブ２３ｃを設けている。リブ２３ｃは、ファンケーシング２３から空気吸い込み部８ａ側に突出する。リブ２３ｃは風の流れに平行に複数を配置することで、風量の低下などの影響を抑えることができる。リブ２３ｃが一つであると、風の流れに沿って配置すると空気吸い込み部８ａにおけるリブ２３ｃと突出部７ａとの隙間８ｃに手が入る可能性があるため、風の流れに垂直な方向にリブ２３ｃを立てる必要がある。したがって、リブ２３ｃが一つであると、風量の低下などの影響を与えるため、リブ２３ｃは複数である方が良い。
【００２１】
フロントパネル４及びフィルタ６は、工具を使用せずに外すことができるため、図４に示した状態においては、工具を使用せずに着脱可能な部品を取り外した状態で不注意な接触に対して適切な保護がなされていることを必要とするＩＥＣ６０３３５−８．１における充電部の対象となるのは、ファンモータ１１である。
【００２２】
図６に示したように、ファンモータ１１は、モータ外郭１１ａ、モータフランジ部１１ｂ、モータ軸１１ｃを有する。また、モータ軸１１ｃに取り付けられる金属製のナット１３も充電部の対象となる。モータ外郭１１ａ、モータフランジ部１１ｂについてはアース線を接続することで適切な保護が可能である。しかし、モータ軸１１ｃ及びナット１３は回転する部分であるため、アース線を接続することは困難である。このため、浴室乾燥機１は、モータ軸１１ｃに接触できないようにファンケーシング２３にリブ２３ｃを設けることで、空気吸い込み部８ａからモータ軸１１ｃ及びナット１３に接触できないようにしている。空気吸い込み部８ａにおけるリブ２３ｃと突出部７ａとの隙間８ｃを充電部からの保護の試験に用いる試験指の直径よりも小さい１２ｍｍ未満とすることで確実に手が入らないようにすることができる。なお、隙間８ｃを１２ｍｍ未満とした場合には、ＩＥＣの規格であるＩＥＣ６０５２９の保護等級２級に相当する。ただし、隙間８ｃは１２ｍｍ未満に限定されない。リブ２３ｃの数を多くすると、空気吸い込み部８ａからモータ軸１１ｃ及びナット１３に接触に接触できないように保護する効果を高めることができる。
【００２３】
また、隙間８ｃを例えば４ｍｍ以下にすると、風路上に設けるリブ２３ｃの高さが高くなり、空気吸い込み部８ａでの風路抵抗が大きくなり風量が下がったり騒音が大きくなったりする。したがって、隙間８ｃは４ｍｍよりも大きくすることが好ましい。
【００２４】
モータ軸１１ｃ及びナット１３との接触を防止する方法としては、空気吸い込み部８ａに格子状の部品を設けたり、ナット１３に樹脂キャップを設けるといった方法も考えられる。しかしこれらの方法では、部品点数の増加により製造コストが高くなったり運転音が大きくなったりすることに加え、清掃もしにくくなってしまう。実施の形態１に係る浴室乾燥機１は、ファンケーシング２３とリブ２３ｃとを一体の部品で形成することができ、製造コストの増加、及び運転音の増大を抑えることができる。
【００２５】
実施の形態１に係る浴室乾燥機１のファンケーシング２３は、本体７の開口の一端側における本体７との間にリブ２３ｃが設けられている。このため、モータ軸１１ｃへの不注意な接触が生じないように保護することができる。また、リブ２３ｃは、空気吸い込み部８ａを覆わないため、運転音を増大させることはない。
【００２６】
特に、浴室乾燥機を壁据付型又は窓据付型にする場合は、天井に据え付ける場合よりも低所に設置されることになるため、モータ軸に触れることが容易になる。したがって、壁又は窓に据え付ける浴室乾燥機は、モータ軸への不注意な接触が生じないように確実に保護する必要がある。実施の形態１に係る浴室乾燥機１は、モータ軸１１ｃへの不注意な接触が生じないように確実に保護できるため、天井よりも低所に設置することが可能である。
【００２７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２８】
１  浴室乾燥機、２  パネル、３  パネルベース、３ａ  パネルベース右辺、３ｂ  パネルベース左辺、４  フロントパネル、４ａ  引掛部、５  パネルつまみ、６  フィルタ、６ａ  フィルタ右取っ手、６ｂ  フィルタ左取っ手、６ｃ  フィルタ正面取っ手、７  本体、７ａ  突出部、８ａ，８ｂ  空気吸い込み部、８ｃ  隙間、１０  吹出口、１１  ファンモータ、１１ａ  モータ外郭、１１ｂ  モータフランジ部、１１ｃ  モータ軸、１２  モータ固定板、１３  ナット、２０  本体部、２１  外郭部、２１ａ  排気開口、２２  ファン、２３  ファンケーシング、２３ａ  スクロール部、２３ｂ  ねじ穴部、２３ｃ  リブ、２３ｄ  吸込口、２４  ヒータ、２５  ダンパ、２５ａ  換気位置、２５ｂ  暖房位置、２５ｃ  乾燥位置、３０  送風機。
【図１】
2020079850.tif 000003
【図２】
2020079850.tif 000004
【図３】
2020079850.tif 000005
【図４】
2020079850.tif 000006
【図５】
2020079850.tif 000007
【図６】
2020079850.tif 000008
【図７】
2020079850.tif 000009
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
一面が開口した本体と、
前記本体内に設置され、前記本体とともに吸込口と吹出口とを有する風路を形成し、前記吸込口が前記本体と対向して配置されるファンケーシングと、
ファンモータ及び前記ファンモータのモータ軸に取り付けられたファンを備え、前記風路内に設置されて、前記ファンモータが前記ファンを回転させることにより、前記本体と前記ファンケーシングとの間の空気吸い込み部から前記吸込口に空気を吸い込み、前記吸込口から前記吹出口に向かう気流を前記風路に発生させる送風機と、
前記ファンケーシングから前記空気吸い込み部に突出するリブとを有することを特徴とする浴室乾燥機。
【請求項２】
前記ファンは、回転軸が横方向を向く姿勢で前記ファンモータのモータ軸に取り付けられたことを特徴とする請求項１に記載の浴室乾燥機。
【請求項３】
前記本体の前に備えたパネルと、
前記パネルの開閉動作を手動で行うパネルつまみとを有することを特徴とする請求項１又は２に記載の浴室乾燥機。
【請求項４】
前記リブを複数有することを特徴とする請求項１から３のいずれか１項に記載の浴室乾燥機。
【請求項５】
前記本体と前記リブとの隙間が１２ｍｍ未満であることを特徴とする請求項１から４のいずれか１項に記載の浴室乾燥機。
【請求項６】
前記リブは、前記ファンケーシングと一体であることを特徴とする請求項１から５のいずれか１項に記載の浴室乾燥機。
【手続補正２】
【補正対象書類名】明細書
【補正対象項目名】０００１
【補正方法】変更
【補正の内容】
【０００１】
本発明は、浴室に温風を送風する暖房運転と、浴室の空気を屋外に排出する換気運転と、浴室への温風の送風及び室内空気の排出を同時に行う乾燥運転を実行でき、ダンパによって風路を切り替える浴室乾燥機に関する。
【手続補正３】
【補正対象書類名】明細書
【補正対象項目名】０００２
【補正方法】変更
【補正の内容】
【０００２】
浴室に温風を送風する暖房運転と、浴室の空気を屋外に排出する換気運転と、浴室への温風の送風及び室内空気の排出を同時に行う乾燥運転を実行でき、運転の種類に応じてダンパによって風路を切り替える浴室乾燥機は、空気の吸込口及び吹出口を有するフロントパネルが浴室内表面に露出する形態である。浴室乾燥機は、送風するファン、ファンを駆動させるファンモータ、ファンの風路を形成するファンケーシング、ファンで送風される空気を加熱するヒータ、加熱した空気を吹き出す吹出口、運転モードを切り替えるダンパ及びダンパを駆動するモータを収納する本体を備える。
【国際調査報告】
2020079850.tif 000010
2020079850.tif 000011
2020079850.tif 000012
2020079850.tif 000013